(57)【要約】【課題】携帯電話の試験を行う際に使用されるシールドボックスの小型化および占有スペースの小型化を図る。【解決手段】シールドボックス１は、直方体形状の筐体２の内部にＩ／Ｆプラグ９を備える。携帯電話５を保持する受け台６は、駆動機構７により、筐体２の外で携帯電話５の着脱が行われる第１の位置から、保持している携帯電話のＩ／Ｆプラグ５ａがＩ／Ｆプラグ９と接続される第２の位置まで、Ｉ／Ｆプラグ同士の挿抜方向に沿って移動する。そして、Ｉ／Ｆプラグ５ａをＩ／Ｆプラグ９から抜き取る方向への受け台６の移動方向に対向する筐体２の長手方向の一方の端部に出し入れ口３を設ける。【選択図】　　　　図１
2004072190.tif 000002
【特許請求の範囲】
【請求項１】
無線機器を収納する直方体形状の筐体と前記無線機器に設けられる被接続端子と接続する接続端子とを備えた無線機器試験用のシールドボックスにおいて、
前記無線機器を保持する受け台と、
前記筐体の外で前記無線機器の着脱が行われる第１の位置から、保持している前記無線機器の前記被接続端子が前記接続端子と接続される第２の位置まで、前記受け台を前記接続端子同士の挿抜方向に沿って移動させる駆動機構と、
前記被接続端子を前記接続端子から抜き取る方向への前記受け台の移動方向に対向して前記筐体の長手方向の一方の端部に設けた出し入れ口と、
前記出し入れ口に設けられ、前記受け台の移動と連動して開閉するドアと
を備えたことを特徴とする無線機器試験用のシールドボックス。
【請求項２】
前記駆動機構から駆動力の伝達を受けて前記ドアを開閉する開閉機構を備えた
ことを特徴とする請求項１記載の無線機器試験用のシールドボックス。
【請求項３】
前記開閉機構は、前記受け台の位置に応じて前記駆動機構からのドアへの駆動力の伝達の有無を切り替える伝達機構を備えた
ことを特徴とする請求項２記載の無線機器試験用のシールドボックス。
【請求項４】
前記ドアの端部側に回転支点を有し、前記ドアを前記筐体に対して回転動作で開閉する支持機構を備えた
ことを特徴とする請求項１記載の無線機器試験用のシールドボックス。
【請求項５】
無線機器を収納する直方体形状の筐体と前記無線機器に設けられる被接続端子と接続する接続端子とを備えた無線機器試験用のシールドボックスにおいて、
前記無線機器を保持する受け台と、
前記筐体の外で前記無線機器の着脱が行われる第１の位置から、保持している前記無線機器の前記被接続端子が前記接続端子と接続される第２の位置まで、前記受け台を前記接続端子同士の挿抜方向に沿って移動させる駆動機構と、
前記受け台が前記第２の位置と前記第１の位置との間を移動する過程で、保持している前記無線機器の前記被接続端子が前記接続端子と対向する第１の向きから、前記受け台の移動方向に対して横を向く第２の向きまで、前記受け台を鉛直軸を支点に回転させる回転機構と、
前記被接続端子を前記接続端子から抜き取る方向への前記受け台の移動方向に対向して前記筐体の長手方向の一方の端部に設けた出し入れ口と、
前記出し入れ口に設けられ、前記受け台の移動と連動して開閉するドアと
を備えたことを特徴とする無線機器試験用のシールドボックス。
【請求項６】
前記駆動機構から駆動力の伝達を受けて前記ドアを開閉する開閉機構を備えた
ことを特徴とする請求項５記載の無線機器試験用のシールドボックス。
【請求項７】
前記開閉機構は、前記受け台の位置に応じて前記駆動機構からのドアへの駆動力の伝達の有無を切り替える伝達機構を備えた
ことを特徴とする請求項６記載の無線機器試験用のシールドボックス。
【請求項８】
前記ドアの下端部側に回転支点を有し、前記ドアを前記筐体に対して回転動作で開閉する支持機構を備えた
ことを特徴とする請求項５記載の無線機器試験用のシールドボックス。
【発明の詳細な説明】
【０００１】
【発明の属する技術分野】
本発明は、筐体の内部に無線機器を収納して各種試験を行う無線機器試験用のシールドボックスに関する。詳しくは、シールドボックス側に設けた接続端子と無線機器に設けた被接続端子の挿抜を無線機器をスライド移動させて行い、かつ、直方体形状の筐体の長手方向の一方の端部であって、被接続端子を抜き取る際の無線機器の移動方向に対向する位置に無線機器の出し入れ口を備えることで、シールドボックスの小型化および占有スペースの小型化を図るものである。
【０００２】
【従来の技術】
無線機器である携帯電話の製造工程では、携帯電話を外来電波から遮蔽された環境下で試験するため、シールドボックスと呼ばれる装置が使用される。図１３は従来のシールドボックスの一部破断斜視図である。
【０００３】
従来のシールドボックス１００は、直方体形状の筐体１０１の天井面を開口して出し入れ口１０２が形成される。この出し入れ口１０２には、スライド移動により開閉するスライドルーフ１０３が設けられる。このスライドルーフ１０３はカムフォロア取付板１０４により筐体１０１に取り付けられ、筐体１０１の長手方向に沿ってスライド移動する。
【０００４】
筐体１０１の外部には、閉じた状態のスライドフール１０３を筐体１０１側に押し付けて閉状態にロックするためのエアーシリンダ１０５が設けられる。また、筐体１０１の内部には、図示しない携帯電話を保持してコネクタ１０６の挿抜を行うコネクタ挿抜ユニット１０７が設けられる。このコネクタ挿抜ユニット１０７は、図示しない携帯電話を固定し、エアーシリンダでコネクタ１０６側を移動させて、携帯電話側のコネクタと筐体１０１側のコネクタ１０６の挿抜を行う。
【０００５】
この従来のシールドボックス１００では、シールドボックス１００に対して図示しない携帯電話の着脱を行う際、スライドルーフ１０３が筐体１０１の長手方向である矢印方向にスライド移動することで出し入れ口１０２が露出し、コネクタ挿抜ユニット１０７に対する携帯電話の着脱が行えるようになっていた。
【０００６】
【発明が解決しようとする課題】
しかしながら、従来のシールドボックス１００は、筐体１０１の内部に被試験物である携帯電話を直接出し入れするので、出し入れ口１０２を大きく開口する必要があり、スライドルーフ１０３を筐体１０１の長手方向にスライド移動させていた。このため、従来のシールドボックス１００は、奥行き方向の占有スペースが大きいという問題があった。
【０００７】
ここで、１台のシールドボックスには１個の携帯電話を収納して試験を行うので、複数の携帯電話を同時に試験する場合、複数のシールドボックスを用いる必要があるが、シールドボックスの占有スペースが大きいと、検査のために広いスペースが要求されたり、シールドボックスの設置スペースが限られている場合、一度に検査できる台数が制限されるという問題がある。
【０００８】
本発明は、このような課題を解決するためになされたもので、狭い占有スペースで使用できる小型の無線機器試験用のシールドボックスを提供することを目的とする。
【０００９】
【課題を解決するための手段】
上述した課題を解決するため、請求項１の発明に係る無線機器試験用のシールドボックスは、無線機器を収納する直方体形状の筐体と無線機器に設けられる被接続端子と接続する接続端子とを備えた無線機器試験用のシールドボックスにおいて、無線機器を保持する受け台と、筐体の外で無線機器の着脱が行われる第１の位置から、保持している無線機器の被接続端子が接続端子と接続される第２の位置まで、受け台を接続端子同士の挿抜方向に沿って移動させる駆動機構と、被接続端子を接続端子から抜き取る方向への受け台の移動方向に対向して筐体の長手方向の一方の端部に設けた出し入れ口と、出し入れ口に設けられ、受け台の移動と連動して開閉するドアとを備えたものである。
【００１０】
請求項１の本発明に係る無線機器試験用のシールドボックスでは、受け台が第２の位置にあると、この受け台に保持されている無線機器は筐体の内部に位置し、この無線機器の被接続端子と筐体側の接続端子が接続している。また、ドアは筐体の出し入れ口を塞いでいる。
【００１１】
この第２の位置にある受け台が第１の位置へ向けて移動すると、無線機器が筐体の接続端子から抜ける方向に移動するので、無線機器の被接続端子が筐体側の接続端子から外れる。また、受け台が第２の位置から第１の位置へと移動すると、ドアが開いて受け台が出し入れ口から筐体の外へと移動する。そして、受け台が第１の位置へと移動すると、無線機器が筐体の外部に排出され、受け台への着脱が可能となる。
【００１２】
無線機器を保持して第１の位置にある受け台が第２の位置へ向けて移動すると、無線機器は筐体の内部へ取り込まれる。また、第１の位置にある受け台が第２の位置へ向けて移動すると、無線機器が筐体の接続端子と接続する方向に移動するので、受け台が第２の位置へと移動する過程で無線機器の被接続端子が筐体側の接続端子に接続する。そして、受け台が第２の位置へと移動すると、無線機器の被接続端子が筐体側の接続端子と完全に接続し、無線機器の全体が筐体の内部に取り込まれ、ドアが閉じる。
【００１３】
以上のように、請求項１に係る発明では、筐体側に設けた接続端子と無線機器の被接続端子とを、無線機器をスライド移動させて挿抜する構成とし、かつ、接続端子から被接続端子を抜き取る際の無線機器の移動方向と対向する位置に出し入れ口を設けて、被接続端子を挿抜するための無線機器の移動でこの無線機器の筐体に対する出し入れを行うこととした。これにより、被接続端子を挿抜するための無線機器の移動とこの無線機器の筐体に対する出し入れを１組の駆動機構で行えるので、シールドボックスの小型化を図ることができる。
【００１４】
また、直方体形状の筐体の長手方向の端部に出し入れ口を設けるので、出し入れ口の開口を小さくすることができ、ドアが開く際に必要なスペースを小さくすることができるので、占有スペースを小さくすることができる。
【００１５】
請求項５の発明に係る無線機器試験用のシールドボックスは、無線機器を収納する直方体形状の筐体と無線機器に設けられる被接続端子と接続する接続端子とを備えた無線機器試験用のシールドボックスにおいて、無線機器を保持する受け台と、筐体の外で無線機器の着脱が行われる第１の位置から、保持している無線機器の被接続端子が接続端子と接続される第２の位置まで、受け台を接続端子同士の挿抜方向に沿って移動させる駆動機構と、受け台が第２の位置と第１の位置との間を移動する過程で、保持している無線機器の被接続端子が接続端子と対向する第１の向きから、受け台の移動方向に対して横を向く第２の向きまで、受け台を鉛直軸を支点に回転させる回転機構と、被接続端子を接続端子から抜き取る方向への受け台の移動方向に対向して筐体の長手方向の一方の端部に設けた出し入れ口と、出し入れ口に設けられ、受け台の移動と連動して開閉するドアとを備えたものである。
【００１６】
請求項５の発明に係る無線機器試験用のシールドボックスでは、受け台が第２の位置にあると、この受け台に保持されている無線機器は筐体の内部に位置し、この無線機器の被接続端子と筐体側の接続端子が接続している。また、ドアは筐体の出し入れ口を塞いでいる。
【００１７】
この第２の位置にある受け台が第１の位置へ向けて移動すると、無線機器が筐体の接続端子から抜ける方向に移動するので、無線機器の被接続端子が筐体側の接続端子から外れる。また、受け台が第２の位置から第１の位置へと移動すると、ドアが開いて受け台が出し入れ口から筐体の外へと移動する。さらに、受け台が第２の位置から第１の位置へと移動する過程で、この受け台は鉛直軸を支点に第１の向きから第２の向きへと回転する。そして、受け台が第１の位置へと移動すると、この受け台の姿勢は第２の向きとなり、無線機器が受け台の移動方向に対して横を向いた姿勢で筐体の外部に排出され、受け台への着脱が可能となる。
【００１８】
無線機器を保持して第１の位置にある受け台が第２の位置へ向けて移動すると、受け台が第２の向きから第１の向きへと姿勢を変えながら、無線機器は筐体の内部へ取り込まれる。受け台が第１の向きとなると、保持している無線機器の被接続端子が筐体側の接続端子と対向する。そして、受け台が第２の位置へ向けて移動すると、無線機器が筐体の接続端子と接続する方向に移動するので、受け台が第２の位置へと移動する過程で無線機器の被接続端子が筐体側の接続端子に接続する。受け台が第２の位置へと移動すると、無線機器の被接続端子が筐体側の接続端子と完全に接続し、無線機器の全体が筐体の内部に取り込まれ、ドアが閉じる。
【００１９】
以上のように、請求項５に係る発明では、被接続端子を挿抜するための無線機器の移動と、この無線機器の筐体に対する出し入れと、この無線機器を出し入れする際の回転動作を１組の駆動機構で行えるので、シールドボックスの小型化を図ることができる。
【００２０】
また、筐体内に取り込んでいる無線機器を外部へ排出する際に、受け台を回転させて無線機器を横向きにすることで、筐体から露出する無線機器の長さを短くでき、占有スペースの小型化を図ることができる。
【００２１】
【発明の実施の形態】
以下、図面を参照して本発明のシールドボックスの実施の形態を説明する。図１は第１の実施の形態のシールドボックスの一部分解斜視図、図２は第１の実施の形態のシールドボックスの全体分解斜視図である。
【００２２】
シールドボックス１は、直方体形状の筐体２の長手方向の一方の端部を開口して出し入れ口３を設けるとともに、この出し入れ口３に開閉するドア４を設ける。また、筐体２の内部に、無線機器としての携帯電話５を保持する受け台６と、この受け台６をスライド移動させる駆動機構７と、この駆動機構７による受け台６の移動と連動してドア４を開閉する開閉機構８と、被接続端子である携帯電話５のＩ／Ｆプラグ５ａと接続される接続端子であるＩ／Ｆプラグ９とを設ける。
【００２３】
筐体２はベースパネル１０、２枚のサイドパネル１１ａ，１１ｂ、フロントパネル１２、リアパネル１３、そしてトップパネル１４の６面から構成される。２枚のサイドパネル１１ａ，１１ｂと、フロントパネル１２およびリアパネル１３は、ベースパネル１０にネジ１５によって締結固定される。また、各サイドパネル１１ａ，１１ｂとフロントパネル１２、各サイドパネル１１ａ，１１ｂとリアパネル１３もネジ１５によって締結固定される。
【００２４】
これに対してトップパネル１４は、２枚のサイドパネル１１ａ，１１ｂ、フロントパネル１２およびリアパネル１３で構成される枠上に載せられ、ネジによる固定は行われない。ここで、トップパネル１４の位置決めを行うため、例えば突起とこの突起が嵌る穴との組み合わせで、トップパネル１４の位置がずれないようにする。このように、トップパネル１４を何ら工具等を使わず開閉自在とすることで、シールドボックス１内のメンテナンス性が向上する。
【００２５】
なお、ベースパネル１０にはゴム足１０ａが取り付けられ、設置場所に対して絶縁が図られる。ここで、各パネルを構成する材質としては、一例としてＡ５０５２Ｐと呼ばれるアルミニウム板を用いることとする。また、各パネルの厚みとしては５ｍｍ程度とする。なお、このような構成とした筐体２を有するシールドボックス１では、−４０ｄＢ程度の遮蔽性能が得られる。
【００２６】
筐体２を構成する６面のパネルのうち、リアパネル１３とともに面積が最も小さいフロントパネル１２に出し入れ口３を設けて、筐体２に対する携帯電話５の出し入れを行う。そして、ドア４はこの出し入れ口３を塞ぐものであるので、ドア４の面積は小さく抑えることができる。
【００２７】
ドア４はフロントパネル１２に支持機構としてのバネ蝶番１６によって取り付けられる。このバネ蝶番１６は、四角形のドア４の下辺側を回転支点としてこのドア４が筐体２の外側に向けて回転動作で開くように、ドア４をフロントパネル１２に取り付けている。また、バネ蝶番１６は、図示しないねじりコイルバネ等が組み込まれ、ドア４を閉じる方向に付勢している。
【００２８】
駆動機構７は、受け台６を移動させるエアーシリンダ１７と、受け台６の移動をガイドするリニアガイド１８を備える。このエアーシリンダ１７は、マウント部１７ａとスライド移動する可動部１７ｂとから構成され、ベースパネル１０上に取り付けられる。エアーシリンダ１７のマウント部１７ａには、図示しないスペーサ等を介してリニアガイド１８が取り付けられる。リニアガイド１８は図示しないレールに案内されてスライド移動する可動ブロック１８ａを備え、この可動ブロック１８ａにスペーサ等を介して受け台取付ベース１９が取り付けられる。そして、この受け台取付ベース１９に受け台６が取り付けられる。この受け台６は、携帯電話５を所定の位置に保持するため、図示しない保持機構を備えている。
【００２９】
この受け台取付ベース１９の一方の側面にはローラ受け２０が取り付けられる。また、エアーシリンダ１７の可動部１７ｂの一方の側面にはローラ２１が取り付けられる。そして、ローラ受け２０には下方に向けて開口した溝部２０ａが形成され、この溝部２０ａにローラ２１を嵌めている。これにより、エアーシリンダ１７が駆動されて可動部１７ｂがスライド移動すると、この可動部１７ｂの動作がローラ２１およびローラ受け２０を介して受け台取付ベース１９に伝達され、この受け台取付ベース１９に取り付けられた受け台６は、リニアガイド１８に案内されてスライド移動する。
【００３０】
Ｉ／Ｆプラグ９は、ベースパネル１０に取り付けられたプラグ取り付け板２２に、Ｉ／Ｆプラグホルダー２３およびＩ／Ｆプラグ押さえ２４によって取り付けられる。このＩ／Ｆプラグ９は、受け台６および受け台取付ベース１９の移動の妨げにならず、かつ、受け台６で保持されて取り込まれる携帯電話５のＩ／Ｆプラグ５ａと対向する位置に支持される。
【００３１】
さて、リニアガイド１８による受け台取付ベース１９のガイド方向は、受け台６で保持している携帯電話５のＩ／Ｆプラグが、筐体２側のＩ／Ｆプラグ９に対して挿抜される方向である。
【００３２】
これにより、駆動機構７は、Ｉ／Ｆプラグ９に対する挿抜方向に沿って受け台６を移動させる。そして、受け台６の移動範囲が、保持している携帯電話５を筐体２の外部に露出させる第１の位置から、携帯電話５のＩ／Ｆプラグ５ａが筐体２側のＩ／Ｆプラグ９と接続する位置にこの携帯電話５を位置付ける第２の位置までの間となるように、エアーシリンダ１７の可動範囲等が定められる。
【００３３】
また、筐体２に設けられる出し入れ口３は、携帯電話５のＩ／Ｆプラグ５ａを筐体２のＩ／Ｆプラグ９から抜き取る方向への受け台６の移動方向と対向して設けられる。そして、出し入れ口３に設けたドア４は、開閉機構８によって受け台６の移動と連動して開閉する。
【００３４】
図３は開閉機構８の詳細を示す要部斜視図である。なお、この図３は、シールドボックス１の内部を見せるため、筐体２を構成するサイドパネル１１ａ，１１ｂ、フロントパネル１２、リアパネル１３およびトップパネル１４を取り外した状態を示している。
【００３５】
開閉機構８は、受け台取付ベース１９に取り付けられるキャッチャー本体取付ブロック２５と、このキャッチャー本体取付ブロック２５と結合するキャッチャー受け取付ブロック２６と、このキャッチャー受け取付ブロック２６とドア４を連結するリンク２７Ａ，リンク２７Ｂとを備える。
【００３６】
キャッチャー本体取付ブロック２５は、受け台取付ベース１９の側面に取り付けられ、リニアガイド１８にガイドされてスライド移動するこの受け台取付ベース１９とともにスライド移動して、受け台取付ベース１９の動作をドア４に伝達する。
【００３７】
リンク２７Ａは、ベースパネル１０に取り付けられたリンクガイドベース２８に支持される、このリンクガイドベース２８は、リンク２７Ａの幅に合わせた幅を有し、かつ、受け台取付ベース１９の移動方向に沿って延在する溝２８ａを備えて、この溝２８ａでリンク２７Ａを支持する。
【００３８】
そして、リンク押え２９をリンクガイドベース２８に取り付けて溝２８ａを覆うことでリンク２７Ａの脱落を防止する。これにより、リンク２７Ａは受け台取付ベース１９の移動方向に沿ってスライド自在に支持される。
【００３９】
このリンク２７Ａの先端側に、リンク２７Ｂの後端側がピン３０によって回転自在に連結される。ここで、リンク２７Ａは、リンクガイドベース２８によってスライド移動自在な状態でベースパネル１０に取り付けられているので、リンク２７Ａに対して、リンク２７Ｂがピン３０を支点に回転する。
【００４０】
リンク２７Ｂの先端側は、ドア４に取り付けられたリンク取付ブロック３１にピン３２によって回転自在に連結される。ここで、バネ蝶番１６の回転支点となる軸と、ピン３０およびピン３２による回転軸は互いに平行となっている。
【００４１】
リンク２７Ａの後端側にはキャッチャー受け取付ブロック２６が取り付けられる。このキャッチャー受け取付ブロック２６とキャッチャー本体取付ブロック２５は、図示しない磁石により結合し、一体に動作可能となる。これに対して、磁石の結合力より強い力が加わると両者の結合は離れ、キャッチャー受け取付ブロック２６とキャッチャー本体取付ブロック２５は独立して動作可能となる。
【００４２】
このキャッチャー受け取付ブロック２６は、受け台取付ベース１９のスライド移動によるキャッチャー本体取付ブロック２５の移動経路中に位置しており、キャッチャー受け取付ブロック２６とキャッチャー本体取付ブロック２５が図示しない磁石によって結合して、受け台取付ベース１９のスライド移動によってドア４の開閉を行う。また、受け台取付ベース１９の移動によってキャッチャー受け取付ブロック２６とキャッチャー本体取付ブロック２５の結合が外れ、ドア４を開いた状態としつつ、受け台取付ベース１９が独立してスライド移動する。このように、キャッチャー本体取付ブロック２５とキャッチャー受け取付ブロック２６は、受け台６を支持する受け台取付ベース１９の位置に応じてドア４への駆動力の伝達の有無を切り替える伝達機構を構成する。
【００４３】
以下、上述した第１の実施の形態のシールドボックス１の動作を説明する。図４および図５は携帯電話５の取り込みおよび排出工程を示すシールドボックス１の側断面図で、図４（ａ）、図４（ｂ）、図５（ａ）そして図５（ｂ）の順に携帯電話５の取り込み工程を示し、反対に、図５（ｂ）、図５（ａ）、図４（ｂ）そして図４（ａ）の順に携帯電話５の排出工程を示す。
【００４４】
まず、携帯電話５を取り込む工程から説明する。図４（ａ）は受け台６が第１の位置にある状態を示す。受け台６が第１の位置にあると、ドア４が開放し、出し入れ口３より受け台６が筐体２の外部に露出して、携帯電話５の着脱が可能な状態となる。
【００４５】
さて、受け台６に携帯電話５をセットする際は、Ｉ／Ｆプラグ５ａが筐体２内のＩ／Ｆプラグ９と対向する向きとする。そして、携帯電話５の取り込みは、図示しない操作ボタンの操作により、エアーシリンダ１７が動作することで行われる。すなわち、受け台６に携帯電話５がセットされ、図示しない操作ボタンの操作で携帯電話５の取り込みが指示されると、受け台６を第１の位置に位置付けていたエアーシリンダ１７の可動部１７ｂが矢印ａ方向に移動を開始する。
【００４６】
エアーシリンダ１７の可動部１７ｂが矢印ａ方向に移動を開始すると、図２等で説明したように、可動部１７ｂに取り付けたローラ２１と受け台取付ベース１９に取り付けたローラ受け２０によって駆動力が伝達され、受け台取付ベース１９がキャッチャー本体ブロック２５および受け台６とともに矢印ａ方向へ移動を開始する。
【００４７】
受け台６が第１の位置から矢印ａ方向に移動を開始すると、この受け台６で保持している携帯電話５が出し入れ口３から筐体２の内部に取り込まれて行く。この受け台６の移動方向は、携帯電話５のＩ／Ｆプラグ５ａを筐体２側のＩ／Ｆプラグ９に挿入して接続する方向である。
【００４８】
受け台６が第１の位置にあるとき、受け台取付ベース１９のキャッチャー本体取付ブロック２５は、リンク２７Ａ，リンク２７Ｂによってドア４と連結されているキャッチャー受け取付ブロック２６から離れた位置にある。よって、第１の位置から受け台６が矢印ａ方向へ移動を開始した段階では、受け台取付ベース１９の移動はドア４に伝達されず、ドア４は開放した状態を保持する。
【００４９】
受け台６が第１の位置から矢印ａ方向に移動して行くと、キャッチャー本体取付ブロック２５は受け台取付ベース１９とともに矢印ａ方向に移動してキャッチャー受け取付ブロック２６に徐々に接近する。そして、受け台取付ベース１９が所定の位置まで矢印ａ方向に移動すると、図４（ｂ）に示すようにキャッチャー本体取付ブロック２５がキャッチャー受け取付ブロック２６に当接し、両者が図示しない磁石によって結合する。
【００５０】
さて、キャッチャー本体取付ブロック２５がキャッチャー受け取付ブロック２６と当接する位置まで受け台６が移動した段階で、受け台６および携帯電話５の全体が出し入れ口３から筐体２の内部に取り込まれているように、受け台６等の移動距離およびキャッチャー本体取付ブロック２５とキャッチャー受け取付ブロック２６の位置関係等が設定されている。これにより、受け台６および携帯電話５の全体が出し入れ口３から筐体２の内部に取り込まれるまでは、ドア４には受け台取付ベース１９の移動による駆動力の伝達は行われず、ドア４は開放した状態を保持する。
【００５１】
受け台６を第１の位置としている受け台取付ベース１９が矢印ａ方向に移動して、キャッチャー本体取付ブロック２５がキャッチャー受け取付ブロック２６に当接する段階では、受け台取付ベース１９は、受け台６が第１の位置から第２の位置へと移動する途中なので、さらに矢印ａ方向に移動できる。
【００５２】
これにより、エアーシリンダ１７の動作で受け台取付ベース１９を矢印ａ方向に移動させ続けると、キャッチャー本体取付ブロック２５がキャッチャー受け取付ブロック２６を押す。
【００５３】
ここで、キャッチャー受け取付ブロック２６はリンク２７Ａ，リンク２７Ｂによりドア４と連結している。また、キャッチャー受け取付ベース２６に取り付けられているリンク２７Ａはリンクガイドベース２８に支持されて受け台取付ベース１９の移動方向に沿って移動自在である。
【００５４】
よって、キャッチャー受け取付ブロック２６がキャッチャー本体取付ブロック２５に押されて矢印ａ方向に移動すると、リンク２７Ａが矢印ａ方向に移動することでリンク２７Ｂによりドア４を引く力が加えられ、開放しているドア４がバネ蝶番１６を支点に閉じ始める。
【００５５】
これにより、キャッチャー本体取付ブロック２５がキャッチャー受け取付ブロック２６と当接した後、受け台６が第２の位置へ向けてさらに矢印ａ方向に移動して行くと、図５（ａ）に示すようにドア４が閉じて行く。
【００５６】
受け台６が第２の位置へと近づくと、この受け台６で保持している携帯電話５のＩ／Ｆプラグ５ａと筐体２側のＩ／Ｆプラグ９が近接して対向する。そして受け台６が第２の位置へ到達するとき、この受け台６の矢印ａ方向の移動で携帯電話５のＩ／Ｆプラグ５ａが筐体２側のＩ／Ｆプラグ９に挿入される。
【００５７】
図５（ｂ）に示すように、受け台６が第２の位置に到達すると、エアーシリンダ１７による受け台取付ベース１９の移動を停止する。受け台６が第２の位置に到着すると、この受け台６で保持している携帯電話５のＩ／Ｆプラグ５ａと筐体２側のＩ／Ｆプラグ９との接続が完了する。
【００５８】
また、受け台６が第２の位置にあると、受け台取付ベース１９に取り付けたキャッチャー本体取付ブロック２５と、ドア４とリンク２７Ａ，２７Ｂを介して連結しているキャッチャー受け取付ブロック２６が磁石により結合して、このキャッチャー受け取付ブロック２６の位置が規制される。
【００５９】
そして、この受け台６が第２の位置にあるときのキャッチャー受け取付ブロック２６の位置でドア４が閉じた状態となるように、リンク２７Ａ，リンク２７Ｂの形状等が定められている。これにより、受け台６が第２の位置まで移動すると、ドア４が閉じて出し入れ口３を塞ぐ。ここで、ドア４はバネ蝶番１６により閉じる方向に付勢されている。このため、ドア４が閉じた時に図示しないバネの力がリンク２７Ｂ，リンク２７Ａ等を介してエアーシリンダ１７の可動部に１７ｂに伝達されるが、エアーシリンダ１７の構造上、可動部１７ｂの停止位置は多少のオーバーストロークが可能であるので、ドア４を確実に閉めることが可能となる。
【００６０】
以上説明した動作によって携帯電話５がシールドボックス１内に取り込まれると、所定の試験が行われる。ここで、携帯電話５の製造工程でシールドボックス１を用いて行われる試験としては、受信レベルを調整するＲＳＳＩ調整、受信感度を測定するＲＸ測定、変調精度を確認するＴＸ測定、送信レベル測定、隣接チャンネル漏洩電力測定、不要な放射電波の放射レベルを測定するスプリアス測定、外部アンテナ間の接続確認を行う常温エアーチェック等がある。
【００６１】
そして、図示しない試験機器とシールドボックス１内の携帯電話５を電気的に接続してやりとりを行うため、シールドボックス１内にはＩ／Ｆプラグ９が設けられ、かつ、本実施の形態のシールドボックス１では、携帯電話５を出し入れする動作でＩ／Ｆプラグ同士の挿抜が行えるようになっている。
【００６２】
なお、図示しない試験機器とシールドボックス１内の携帯電話５との間で行われる電気的なやりとりとしては、電源の供給、携帯電話５をテストモードに切り替える等のモード切替のためのシリアル通信、受信レベル調整等でＡ／Ｄ変換した調整値を携帯電話５の内蔵メモリに書き込むためのデータ通信等がある。
【００６３】
次に、携帯電話５を排出する工程を説明する。携帯電話５の排出は、自動または図示しない操作ボタンの操作により、エアーシリンダ１７が動作することで行われる。すなわち、試験が終了し、試験結果が「ＯＫ」のときは自動的に携帯電話５の排出が指示される。また、試験結果が「ＮＧ」のときは、図示しない操作ボタンの操作で携帯電話５の排出が指示される。
【００６４】
携帯電話５の排出が指示されると、図５（ｂ）に示すように、受け台６を第２の位置に位置付けていたエアーシリンダ１７の可動部１７ｂが矢印ｂ方向に移動を開始する。
【００６５】
可動部１７ｂが矢印ｂ方向に移動すると、受け台取付ベース１９がキャッチャー本体取付ブロック２５および受け台６とともに矢印ｂ方向に移動する。この受け台６の移動方向は、受け台６で保持している携帯電話５のＩ／Ｆプラグ５ａを筐体２側のＩ／Ｆプラグ９から抜き取る方向であり、携帯電話５を保持している受け台６を第２の位置から矢印ｂ方向に移動させると、携帯電話５のＩ／Ｆプラグ５ａが筐体２側のＩ／Ｆプラグ９から外れる。
【００６６】
また、受け台６が第２の位置にあるとき、キャッチャー受け取付ブロック２６はキャッチャー本体取付ブロック２５に磁石によって結合しているので、受け台６を第２の位置に位置付けている受け台取付ベース１９が矢印ｂ方向に移動を開始すると、キャッチャー受け取付ブロック２６も矢印ｂ方向に移動を開始する。
【００６７】
そして、キャッチャー受け取付ブロック２６はリンク２７Ａ，リンク２７Ｂによってドア４と連結しているので、キャッチャー受け取付ブロック２６が矢印ｂ方向に移動すると、リンク２７Ａ，リンク２７Ｂによってドア４を開く方向に押す。これにより、第２の位置から受け台取付ベース１９が矢印ｂ方向に移動すると、図５（ａ）に示すように、ドア４が開き始める。
【００６８】
上述したように、携帯電話５を保持して第２の位置にある受け台６を矢印ｂ方向に移動させると、受け台６とともに携帯電話５が矢印ｂに移動し、この携帯電話５のＩ／Ｆプラグ５ａが筐体２側のＩ／Ｆプラグ９から外れるとともに、ドア４が開き開き始める。なお、第２の位置にある受け台６が移動を開始するタイミングとドア４が開き始めるタイミングは同じである。
【００６９】
エアーシリンダ１７の動作によって受け台取付ベース１９が受け台６とともに第２の位置から矢印ｂ方向に移動して行くと、受け台取付ベース１９の矢印ｂ方向の移動に伴いドア４が開く角度が徐々に大きくなる。そして、受け台６が第２の位置から第１の位置へ移動する途中で、図４（ｂ）に示すようにドア４が完全に開く。
【００７０】
ドア４が完全に開くと、これ以上ドア４は開かないので、リンク２７Ａ，リンク２７Ｂによってドア４と連結しているキャッチャー受け取付ブロック２６の移動が規制される。これに対して、受け台取付ベース１９は、受け台６が第２の位置から第１の位置へと移動する途中なので、さらに矢印ｂ方向に移動できる。
【００７１】
さて、ドア４が開放してキャッチャー受け取付ブロック２６の移動が規制されると、図示しない磁石によるキャッチャー本体取付ブロック２５とキャッチャー受け取付ブロック２６の結合力より、エアーシリンダ１７による受け台取付ベース１９の駆動力の方が大きくなるように設定されている。
【００７２】
これにより、ドア４が開いた後、エアーシリンダ１７の動作で受け台取付ベース１９を矢印ｂ方向に移動させ続けると、ドア４が開放したことで移動が規制されたキャッチャー受け取付ブロック２６からキャッチャー本体取付ブロック２５が離れ、受け台取付ベース１９は受け台６とともに矢印ｂ方向にさらに移動する。そして、ドア４が開放してからさらに受け台６が矢印ｂ方向に移動することで、携帯電話５が受け台６とともに出し入れ口３から外部へと排出される。
【００７３】
図４（ａ）に示すように、受け台６が第１の位置に到達すると、エアーシリンダ１７による受け台取付ベース１９の移動を停止する。受け台６が第１の位置に到着すると、この受け台６に保持されている携帯電話５の全体が出し入れ口３から筐体２の外部に露出し、受け台６から携帯電話５を取り外すことが可能となる。また、受け台６への携帯電話５の装着が可能となる。
【００７４】
以上説明したように、第１の実施の形態のシールドボックス１は、１組のエアーシリンダ１７で携帯電話５の筐体２に対する出し入れと、Ｉ／Ｆプラグの挿抜、そしてドア４の開閉を行うので、筐体２内において駆動機構を組み込むためのスペースを小さくすることができ、シールドボックス１の小型化が図れる。
【００７５】
また、携帯電話５の出し入れは、直方体形状の筐体２の長手方向の一方の端部に出し入れ口３を設けて行うので、出し入れ口３に設けるドア４の面積が小さくて済み、また、ドア４の開閉に要するスペースを小さくできる。よって、シールドボックス１の占有スペースを小さくできる。
【００７６】
図６は第２の実施の形態のシールドボックスの一部分解斜視図、図７は第２の実施の形態のシールドボックスの全体分解斜視図である。第２の実施の形態のシールドボックス４１は、上述した第１の実施の形態のシールドボックス１に、受け台６の回転機構を備えたものである。以下、第２の実施の形態のシールドボックス４１において、第１の実施の形態のシールドボックス１と同じ構成については同じ番号を付して説明する。
【００７７】
シールドボックス４１は、直方体形状の筐体２の長手方向の一方の端部を開口して出し入れ口３を設けるとともに、この出し入れ口３に開閉するドア４を設ける。また、筐体２の内部に、無線機器としての携帯電話５を保持する受け台６と、この受け台６をスライド移動させる駆動機構７と、この駆動機構７による受け台６の移動と連動してドア４を開閉する開閉機構８と、受け台６の回転機構４２と、携帯電話５のＩ／Ｆプラグ５ａと接続されるＩ／Ｆプラグ９とを設ける。
【００７８】
筐体２はベースパネル１０、２枚のサイドパネル１１ａ，１１ｂ、フロントパネル１２、リアパネル１３、そしてトップパネル１４の６面から構成される。２枚のサイドパネル１１ａ，１１ｂと、フロントパネル１２およびリアパネル１３は、ベースパネル１０にネジ１５によって締結固定される。また、各サイドパネル１１ａ，１１ｂとフロントパネル１２、各サイドパネル１１ａ，１１ｂとリアパネル１３もネジ１５によって締結固定される。
【００７９】
これに対してトップパネル１４は、２枚のサイドパネル１１ａ，１１ｂ、フロントパネル１２およびリアパネル１３で構成される枠上に載せられ、ネジによる固定は行われない。ここで、トップパネル１４の位置決めを行うため、例えば突起とこの突起が嵌る穴との組み合わせで、トップパネル１４の位置がずれないようにする。このように、トップパネル１４を何ら工具等を使わず開閉自在とすることで、シールドボックス４１内のメンテナンス性が向上する。
【００８０】
なお、ベースパネル１０にはゴム足１０ａが取り付けられ、設置場所に対して絶縁が図られる。ここで、各パネルを構成する材質としては、一例としてＡ５０５２Ｐと呼ばれるアルミニウム板を用いることとする。また、各パネルの厚みとしては５ｍｍ程度とする。なお、このような構成とした筐体２を有するシールドボックス４１では、−４０ｄＢ程度の遮蔽性能が得られる。
【００８１】
筐体２を構成する６面のパネルのうち、リアパネル１３とともに面積が最も小さいフロントパネル１２に出し入れ口３を設けて、筐体２に対する携帯電話５の出し入れを行う。そして、ドア４はこの出し入れ口３を塞ぐものであるので、ドア４の面積は小さく抑えることができる。
【００８２】
ドア４はフロントパネル１２にバネ蝶番１６によって取り付けられる。このバネ蝶番１６は、四角形のドア４の下辺側を回転支点としてこのドア４が筐体２の外側に向けて回転動作で開くように、ドア４をフロントパネル１２に取り付けている。また、バネ蝶番１６は、図示しないねじりコイルバネ等が組み込まれ、ドア４を閉じる方向に付勢している。
【００８３】
駆動機構７は、受け台６を移動させるエアーシリンダ１７と、受け台６の移動をガイドするリニアガイド１８を備える。このエアーシリンダ１７は、マウント部１７ａとスライド移動する可動部１７ｂとから構成され、ベースパネル１０上に取り付けられる。エアーシリンダ１７のマウント部１７ａには、図示しないスペーサ等を介してリニアガイド１８が取り付けられる。リニアガイド１８は図示しないレールに案内されてスライド移動する可動ブロック１８ａを備え、この可動ブロック１８ａにスペーサ等を介して受け台取付ベース４３が取り付けられる。
【００８４】
受け台取付ベース４３の一方の側面にはローラ受け２０が取り付けられる。また、エアーシリンダ１７の可動部１７ｂの一方の側面にはローラ２１が取り付けられる。そして、ローラ受け２０には下方に向けて開口した溝部２０ａが形成され、この溝部２０ａにローラ２１を嵌めている。これにより、エアーシリンダ１７が駆動されて可動部１７ｂがスライド移動すると、この可動部１７ｂの動作がローラ２１およびローラ受け２０を介して受け台取付ベース４３に伝達され、受け台取付ベース４３はリニアガイド１８に案内されてスライド移動する。
【００８５】
この受け台取付ベース４３に取り付けられる受け台６は、回転機構４２によって回転動作を行う。図８は回転機構４２の詳細を示す要部平面図である。回転機構４２は、受け台取付ベース４３に回転自在に取り付けられる回転プレート４４を備える。この回転プレート４４には回転シャフト４５が取り付けられ、この回転シャフト４５が、図７に示すように受け台取付ベース４３に設けたベアリング４６により回転自在に支持される。
【００８６】
回転シャフト４５は鉛直方向に延在する回転軸であり、図６に示すように回転プレート４４に取り付けられる受け台６は、この回転プレート４４とともに水平方向に回転自在に受け台取付ベース４３に支持される。ここで、受け台６は携帯電話５を所定の位置に保持するため、図示しない保持機構を備えている。
【００８７】
回転プレート４４の裏面には、回転用ピン４７と回転プレートストッパーピン４８が設けられる。また、回転プレート４４と受け台取付ベース４３の間には引張りコイルバネ４９が設けられる。この引張りコイルバネ４９は、受け台取付ベース４３の上面に設けた支持点４９ａと、回転プレート４４の裏面に設けた支持点４９ｂの間に掛けられ、回転プレート４４が回転することで変化する支持点４９ｂの位置に応じて、回転プレート４４を所定の方向に回転させる力を発生する。
【００８８】
ドア４の内側には、回転用ブロック５０Ａと回転用ブロック５０Ｂが設けられる。回転プレート４４の回転用ピン４７は、受け台取付ベース４３のスライド移動によって回転用ブロック５０Ａあるいは５０Ｂに当接し、回転プレート４４を回転させる。この回転動作中に、引張りコイルバネ４９は回転プレート４４の回転動作を強制的に行う。
【００８９】
また、回転プレート４４の回転プレートストッパーピン４８は、受け台取付ベース４３の側面に形成された第１のストッパ面４３ａあるいは第２のストッパ面４３ｂに当接して、引張りコイルバネ４９による回転プレート４４の回転を規制する。
【００９０】
そして、回転プレート４４および受け台６は、図８（ａ）に示す第２の向きから図８（ｂ）に示す第１の向きまで回転する。ここで、受け台６の第１の向きとは、図６に示す携帯電話５を保持した状態で、この携帯電話５のＩ／Ｆプラグ５ａが筐体２側のＩ／Ｆプラグ９と対向する向きである。また、第２の向きとは、保持している携帯電話５が、受け台取付ベース４３の移動による受け台６の移動方向に対して横向きとなる状態である。
【００９１】
そして、受け台６が第１の向きにあるとき、回転プレートストッパーピン４８が第１のストッパ面４３ａに突き当り、それ以上の回転が規制される。また、受け台６が第２の向きにあるとき、回転プレートストッパーピン４８が第２のストッパ面４３ｂに突き当り、それ以上の回転が規制される。
【００９２】
ここで、ドア４を開いた状態において、受け台取付ベース４３の下側に回転用ブロック５０Ａおよび回転用ブロック５０Ｂが位置し、回転用ピン４７は受け台６（回転プレート４４）の姿勢に応じて回転用ブロック５０Ａあるいは回転用ブロック５０Ｂと当接し、回転プレートストッパーピン４８は受け台取付ベース４３に設けた第１のストッパ面４３ａあるいは第２のストッパ面４３ｂに接触する。よって、回転プレートストッパーピン４８は、回転用ブロック５０Ａおよび回転用ブロック５０Ｂに接触しない長さに設定される。なお、図８においては、受け台取付ベース４３の上側にある回転プレート４４および引張りコイルバネ４９を２点鎖線で示している。
【００９３】
図６および図７に戻り、Ｉ／Ｆプラグ９は、ベースパネル１０に取り付けられたプラグ取り付け板２２に、Ｉ／Ｆプラグホルダー２３およびＩ／Ｆプラグ押さえ２４によって取り付けられる。このＩ／Ｆプラグ９は、受け台６および受け台取付ベース４３の移動の妨げにならず、かつ、第１の向きとした受け台６で保持されて取り込まれる携帯電話５のＩ／Ｆプラグ５ａと対向する位置に支持される。
【００９４】
さて、リニアガイド１８による受け台取付ベース４３のガイド方向は、この受け台取付ベース４３で支持している受け台６が第１の向きにあるときに、この受け台６で保持している携帯電話５のＩ／Ｆプラグが、筐体２側のＩ／Ｆプラグ９に対して挿抜される方向である。
【００９５】
これにより、駆動機構７は、Ｉ／Ｆプラグ９に対する挿抜方向に沿って受け台６を移動させる。そして、受け台６の移動範囲が、保持している携帯電話５を筐体２の外部に露出させる第１の位置から、携帯電話５のＩ／Ｆプラグ５ａが筐体２側のＩ／Ｆプラグ９と接続する位置にこの携帯電話５を位置付ける第２の位置までの間となるように、エアーシリンダ１７の可動範囲等が定められる。
【００９６】
この第２の実施の形態のシールドボックス４１では、受け台取付ベース４３のスライド移動で受け台６が第１の位置の近傍にあるとき、回転機構４２によって受け台６の回転動作が行われる。
【００９７】
筐体２に設けられる出し入れ口３は、携帯電話５のＩ／Ｆプラグ５ａを筐体２のＩ／Ｆプラグ９から抜き取る方向への受け台６の移動方向と対向して設けられる。そして、出し入れ口３に設けたドア４は、開閉機構８によって受け台６の移動と連動して開閉する。
【００９８】
開閉機構８の説明は、図３における受け台取付ベース１９を図７等に示す受け台取付ベース４３に置き換えて行う。開閉機構８は、受け台取付ベース４３に取り付けられるキャッチャー本体取付ブロック２５と、このキャッチャー本体取付ブロック２５と結合するキャッチャー受け取付ブロック２６と、このキャッチャー受け取付ブロック２６とドア４を連結するリンク２７Ａ，リンク２７Ｂとを備える。
【００９９】
キャッチャー本体取付ブロック２５は、受け台取付ベース４３の側面に取り付けられ、リニアガイド１８にガイドされてスライド移動するこの受け台取付ベース４３とともにスライド移動して、受け台取付ベース４３の動作をドア４に伝達する。
【０１００】
リンク２７Ａは、ベースパネル１０に取り付けられたリンクガイドベース２８に支持される、このリンクガイドベース２８は、リンク２７Ａの幅に合わせた幅を有し、かつ、受け台取付ベース４３の移動方向に沿って延在する溝２８ａを備えて、この溝２８ａでリンク２７Ａを支持する。
【０１０１】
そして、リンク押え２９をリンクガイドベース２８に取り付けて溝２８ａを覆うことでリンク２７Ａの脱落を防止する。これにより、リンク２７Ａは受け台取付ベース４３の移動方向に沿ってスライド自在に支持される。
【０１０２】
このリンク２７Ａの先端側に、リンク２７Ｂの後端側がピン３０によって回転自在に連結される。ここで、リンク２７Ａは、リンクガイドベース２８によってスライド移動自在な状態でベースパネル１０に取り付けられているので、リンク２７Ａに対して、リンク２７Ｂがピン３０を支点に回転する。
【０１０３】
リンク２７Ｂの先端側は、ドア４に取り付けられたリンク取付ブロック３１にピン３２によって回転自在に連結される。ここで、バネ蝶番１６の回転支点となる軸と、ピン３０およびピン３２による回転軸は互いに平行となっている。
【０１０４】
リンク２７Ａの後端側にはキャッチャー受け取付ブロック２６が取り付けられる。このキャッチャー受け取付ブロック２６とキャッチャー本体取付ブロック２５は、図示しない磁石により結合し、一体に動作可能となる。これに対して、磁石の結合力より強い力が加わると両者の結合は離れ、キャッチャー受け取付ブロック２６とキャッチャー本体取付ブロック２５は独立して動作可能となる。
【０１０５】
このキャッチャー受け取付ブロック２６は、受け台取付ベース４３のスライド移動によるキャッチャー本体取付ブロック２５の移動経路中に位置しており、キャッチャー受け取付ブロック２６とキャッチャー本体取付ブロック２５が図示しない磁石によって結合して、受け台取付ベース４３のスライド移動によってドア４の開閉を行う。また、受け台取付ベース４３の移動によってキャッチャー受け取付ブロック２６とキャッチャー本体取付ブロック２５の結合が外れ、ドア４を開いた状態としつつ、受け台取付ベース４３が独立してスライド移動する。このように、キャッチャー本体取付ブロック２５とキャッチャー受け取付ブロック２６は、受け台６を支持する受け台取付ベース４３の位置に応じてドア４への駆動力の伝達の有無を切り替える伝達機構を構成する。
【０１０６】
以下、第２の実施の形態のシールドボックス４３の動作を説明する。図９および図１０は受け台６の回転動作を示すシールドボックス４３の要部平面図で、図９（ａ）、図９（ｂ）、図９（ｃ）そして図９（ｄ）の順に携帯電話５の取り込み工程中の回転動作を示す。また、図１０（ａ）、図１０（ｂ）、図１０（ｃ）そして図１０（ｄ）の順に携帯電話５の排出工程中の回転動作を示す。また、図１１は受け台６が第１の位置にあるときのシールドボックス４３の内部構成を示す側断面図である。ここで、受け台取付ベース４３のスライド動作およびドア４の開閉動作は図４（ａ）における受け台６の向き以外は図４および図５で説明したものと同じである。そこで、図４（ａ）を図１１と置き換え、また、図４（ｂ）および図５において受け台取付ベース１９を図示しないが回転プレート４４を有する受け台取付ベース４３に置き換えて説明を行う。これにより、図１１、図４（ｂ）、図５（ａ）そして図５（ｂ）の順に携帯電話５の取り込み工程を示し、反対に、図５（ｂ）、図５（ａ）、図４（ｂ）そして図１１の順に携帯電話５の排出工程を示すことになる。
【０１０７】
まず、携帯電話５を取り込む工程から説明する。図１１に示すように、受け台６が第１の位置にあると、ドア４が開放し、出し入れ口３より受け台６が筐体２の外部に露出して、携帯電話５の着脱が可能な状態となる。また、受け台６の向きは、第１の位置にあるとき第２の向きとなっている。すなわち、受け台６は受け台取付ベース４３の移動方向に対して横を向いている。このとき、回転プレートストッパーピン４８は、図８（ａ）に示すように受け台取付ベース４３の第２のストッパ面４３ｂに当接し、引張りコイルバネ４９による回転を規制している。
【０１０８】
さて、受け台６に携帯電話５をセットする際は、受け台６の向きに合わせて横向きとする。そして、携帯電話５の取り込みは、図示しない操作ボタンの操作により、エアーシリンダ１７が動作することで行われる。すなわち、受け台６に携帯電話５がセットされ、図示しない操作ボタンの操作で携帯電話５の取り込みが指示されると、受け台６を第１の位置に位置付けていたエアーシリンダ１７の可動部１７ｂが矢印ａ方向に移動を開始する。
【０１０９】
エアーシリンダ１７の可動部１７ｂが矢印ａ方向に移動を開始すると、図７等で説明したように、可動部１７ｂに取り付けたローラ２１と受け台取付ベース４３に取り付けたローラ受け２０によって駆動力が伝達され、受け台取付ベース４３がキャッチャー本体ブロック２５、回転プレート４４および受け台６とともに矢印ａ方向へ移動を開始する。
【０１１０】
受け台６が第１の位置から矢印ａ方向に移動を開始すると、図９（ａ）に示すように、回転プレート４４とともに移動する回転用ピン４７が、ドア４に設けた回転用ブロック５０Ａに当接する。受け台取付ベース４３が矢印ａ方向に移動を続けると、回転用ピン４７の移動が回転用ブロック５０Ａによって規制されることで、図９（ｂ）に示すように、受け台６が取り付けられている回転プレート４４が回転シャフト４５を軸に矢印ｃ方向に回転する。
【０１１１】
さて、引張りコイルバネ４９の受け台取付ベース４３側の支持点４９ａと回転シャフト４５の位置関係は、回転プレート４４の回転によらず一定である。これに対し、引張りコイルバネ４９の回転プレート４４側の支持点４９ｂの位置は、回転プレート４４の回転で変化する。
【０１１２】
このため、受け台６が第２の向きにあるとき、回転プレート４４側の支持点４９ｂと、受け台取付ベース４３側の支持点４９ａの位置関係から、引張りコイルバネ４９は回転プレート４４に対して第２の向きを保持する方向に力を加えている。
【０１１３】
これにより、受け台６を第２の向きとしている回転プレート４４が回転シャフト４５を軸に矢印ｃ方向に回転を開始すると、途中までは引張りコイルバネ４９に抗して回転することになる。
【０１１４】
そして、受け台取付ベース４３が矢印ａ方向へ移動することで、回転プレート４４が矢印ｃ方向に回転して行くと、引張りコイルバネ４９の回転プレート４４側の支持点４９ｂの位置が、受け台取付ベース４３側の支持点４９ａと回転シャフト４５を結ぶ直線を超える。すると、引張りコイルバネ４９は、回転プレート４４を矢印ｃ方向に回転させる力を与える。これにより、回転プレート４４は、図９（ｃ）に示すように、回転用ピン４７が回転用ブロック５０Ｂに当接する位置まで一気に矢印ｃ方向に回転する。
【０１１５】
受け台取付ベース４３が矢印ａ方向に移動を続けると、この受け台取付ベース４３が回転用ブロック５０Ｂから離れて行くことで、回転プレート４４は、回転用ピン４７の位置が回転用ブロック５０Ｂに規制されつつ、引張りコイルバネ４９により矢印ｃ方向に回転して行く。
【０１１６】
そして、受け台取付ベース４３の矢印ａ方向への移動に伴い回転プレート４４が矢印ｃ方向に回転して行くことで、図９（ｄ）に示すように、回転プレート４４の回転ストッパ４８が、受け台取付ベース４３に形成した第１のストッパ面４３ａに当接する。
【０１１７】
これにより、引張りコイルバネ４９による回転プレート４４の矢印ｃ方向への回転は規制され、回転プレート４４に取り付けられている受け台６は、保持している携帯電話５のＩ／Ｆプラグ５ａが筐体２側のＩ／Ｆプラグ９と対向する第１の向きとなる。
【０１１８】
上述したように、第１の位置にある受け台６を取り込む過程で、受け台６は保持している携帯電話５を横向きとする第２の向きから、携帯電話５のＩ／Ｆプラグ５ａが筐体２側のＩ／Ｆプラグ９と対向する第１の向きへと回転する。そして、受け台６が第１の位置から矢印ａ方向に移動を開始し、受け台６が第２の向きから第１の向きへと回転すると、受け台６の移動方向は、携帯電話５のＩ／Ｆプラグ５ａを筐体２側のＩ／Ｆプラグ９に挿入して接続する方向となる。
【０１１９】
さて、受け台６が第１の位置にあるとき、受け台取付ベース４３のキャッチャー本体取付ブロック２５は、リンク２７Ａ，リンク２７Ｂによってドア４と連結されているキャッチャー受け取付ブロック２６から離れた位置にある。よって、第１の位置から受け台６が矢印ａ方向へ移動を開始した段階では、受け台取付ベース４３の移動はドア４に伝達されず、ドア４は開放した状態を保持する。
【０１２０】
受け台６が第１の位置から矢印ａ方向に移動して行くと、キャッチャー本体取付ブロック２５は受け台取付ベース４３とともに矢印ａ方向に移動してキャッチャー受け取付ブロック２６に徐々に接近する。そして、受け台取付ベース４３が所定の位置まで矢印ａ方向に移動すると、図４（ｂ）に示すようにキャッチャー本体取付ブロック２５がキャッチャー受け取付ブロック２６に当接し、両者が図示しない磁石によって結合する。
【０１２１】
さて、キャッチャー本体取付ブロック２５がキャッチャー受け取付ブロック２６と当接する位置まで受け台６が移動した段階で、受け台６は第２の向きから第１の向きまで回転し、かつ、受け台６および携帯電話５の全体が出し入れ口３から筐体２の内部に取り込まれているように、回転機構４２の各部の構成、受け台６等の移動距離およびキャッチャー本体取付ブロック２５とキャッチャー受け取付ブロック２６の位置関係等が設定されている。これにより、受け台６の回転動作が終了し、受け台６および携帯電話５の全体が出し入れ口３から筐体２の内部に取り込まれるまでは、ドア４には受け台取付ベース４３の移動による駆動力の伝達は行われず、ドア４は開放した状態を保持する。
【０１２２】
受け台６を第１の位置としている受け台取付ベース４３が矢印ａ方向に移動して、キャッチャー本体取付ブロック２５がキャッチャー受け取付ブロック２６に当接する段階では、受け台取付ベース４３は、受け台６が第１の位置から第２の位置へと移動する途中なので、さらに矢印ａ方向に移動できる。
【０１２３】
これにより、エアーシリンダ１７の動作で受け台取付ベース４３を矢印ａ方向に移動させ続けると、キャッチャー本体取付ブロック２５がキャッチャー受け取付ブロック２６を押す。
【０１２４】
ここで、キャッチャー受け取付ブロック２６はリンク２７Ａ，リンク２７Ｂによりドア４と連結している。また、キャッチャー受け取付ベース２６に取り付けられているリンク２７Ａはリンクガイドベース２８に支持されて受け台取付ベース４３の移動方向に沿って移動自在である。
【０１２５】
よって、キャッチャー受け取付ブロック２６がキャッチャー本体取付ブロック２５に押されて矢印ａ方向に移動すると、リンク２７Ａが矢印ａ方向に移動することでリンク２７Ｂによりドア４を引く力が加えられ、開放しているドア４がバネ蝶番１６を支点に閉じ始める。
【０１２６】
これにより、キャッチャー本体取付ブロック２５がキャッチャー受け取付ブロック２６と当接した後、受け台６が第２の位置へ向けてさらに矢印ａ方向に移動して行くと、図５（ａ）に示すようにドア４が閉じて行く。
【０１２７】
なお、図５（ａ）では図示しないドア４の裏面に設けられる回転用ブロック５０Ａおよび５０Ｂは、ドア４が閉じて行く過程では回転プレート４４が既に出し入れ口３から筐体２の内部に入っているので、回転用ピン４７等と衝突することはない。
【０１２８】
受け台６が第２の位置へと近づくと、この受け台６で保持している携帯電話５のＩ／Ｆプラグ５ａと筐体２側のＩ／Ｆプラグ９が近接して対向する。そして受け台６が第２の位置へ到達するとき、この受け台６の矢印ａ方向の移動で携帯電話５のＩ／Ｆプラグ５ａが筐体２側のＩ／Ｆプラグ９に挿入される。
【０１２９】
図５（ｂ）に示すように、受け台６が第２の位置に到達すると、エアーシリンダ１７による受け台取付ベース４３の移動を停止する。受け台６が第２の位置に到着すると、この受け台６で保持している携帯電話５のＩ／Ｆプラグ５ａと筐体２側のＩ／Ｆプラグ９との接続が完了する。
【０１３０】
また、受け台６が第２の位置にあると、受け台取付ベース４３に取り付けたキャッチャー本体取付ブロック２５と、ドア４とリンク２７Ａ，２７Ｂを介して連結しているキャッチャー受け取付ブロック２６が磁石により結合して、このキャッチャー受け取付ブロック２６の位置が規制される。
【０１３１】
そして、この受け台６が第２の位置にあるときのキャッチャー受け取付ブロック２６の位置でドア４が閉じた状態となるように、リンク２７Ａ，リンク２７Ｂの形状等が定められている。これにより、受け台６が第２の位置まで移動すると、ドア４が閉じて出し入れ口３を塞ぐ。ここで、ドア４はバネ蝶番１６により閉じる方向に付勢されている。このため、ドア４が閉じた時に図示しないバネの力がリンク２７Ｂ，リンク２７Ａ等を介してエアーシリンダ１７の可動部に１７ｂに伝達されるが、エアーシリンダ１７の構造上、可動部１７ｂの停止位置は多少のオーバーストロークが可能であるので、ドア４を確実に閉めることが可能となる。
【０１３２】
以上説明した動作によって携帯電話５がシールドボックス４１内に取り込まれると、第１の実施の形態のシールドボックス１で説明したように所定の試験が行われる。
【０１３３】
次に、携帯電話５を排出する工程を説明する。携帯電話５の排出は、自動または図示しない操作ボタンの操作により、エアーシリンダ１７が動作することで行われる。すなわち、試験が終了し、試験結果が「ＯＫ」のときは自動的に携帯電話５の排出が指示される。また、試験結果が「ＮＧ」のときは、図示しない操作ボタンの操作で携帯電話５の排出が指示される。
【０１３４】
携帯電話５の排出が指示されると、図５（ｂ）に示すように、受け台６を第２の位置に位置付けていたエアーシリンダ１７の可動部１７ｂが矢印ｂ方向に移動を開始する。可動部１７ｂが矢印ｂ方向に移動すると、受け台取付ベース４３がキャッチャー本体取付ブロック２５および受け台６とともに矢印ｂ方向に移動する。
【０１３５】
受け台６が第２の位置にあるとき、この受け台６は第１の向きとなっているので、矢印ｂで示す受け台６の移動方向は、受け台６で保持している携帯電話５のＩ／Ｆプラグ５ａを筐体２側のＩ／Ｆプラグ９から抜き取る方向であり、携帯電話５を保持している受け台６を第２の位置から矢印ｂ方向に移動させると、携帯電話５のＩ／Ｆプラグ５ａが筐体２側のＩ／Ｆプラグ９から外れる。
【０１３６】
また、受け台６が第２の位置にあるとき、キャッチャー受け取付ブロック２６はキャッチャー本体取付ブロック２５に磁石によって結合しているので、受け台６を第２の位置に位置付けている受け台取付ベース４３が矢印ｂ方向に移動を開始すると、キャッチャー受け取付ブロック２６も矢印ｂ方向に移動を開始する。
【０１３７】
そして、キャッチャー受け取付ブロック２６はリンク２７Ａ，リンク２７Ｂによってドア４と連結しているので、キャッチャー受け取付ブロック２６が矢印ｂ方向に移動すると、リンク２７Ａ，リンク２７Ｂによってドア４を開く方向に押す。これにより、第２の位置から受け台取付ベース４３が矢印ｂ方向に移動すると、図５（ａ）に示すように、ドア４が開き始める。
【０１３８】
上述したように、携帯電話５を保持して第２の位置にある受け台６を矢印ｂ方向に移動させると、受け台６とともに携帯電話５が矢印ｂに移動し、この携帯電話５のＩ／Ｆプラグ５ａが筐体２側のＩ／Ｆプラグ９から外れるとともに、ドア４が開き開き始める。なお、第２の位置にある受け台６が移動を開始するタイミングとドア４が開き始めるタイミングは同じである。
【０１３９】
エアーシリンダ１７の動作によって受け台取付ベース４３が受け台６とともに第２の位置から矢印ｂ方向に移動して行くと、受け台取付ベース４３の矢印ｂ方向の移動に伴いドア４が開く角度が徐々に大きくなる。そして、受け台６が第２の位置から第１の位置へ移動する途中で、図４（ｂ）に示すようにドア４が完全に開く。
【０１４０】
ドア４が完全に開くと、これ以上ドア４は開かないので、リンク２７Ａ，リンク２７Ｂによってドア４と連結しているキャッチャー受け取付ブロック２６の移動が規制される。これに対して、受け台取付ベース４３は、受け台６が第２の位置から第１の位置へと移動する途中なので、さらに矢印ｂ方向に移動できる。
【０１４１】
さて、ドア４が開放してキャッチャー受け取付ブロック２６の移動が規制されると、図示しない磁石によるキャッチャー本体取付ブロック２５とキャッチャー受け取付ブロック２６の結合力より、エアーシリンダ１７による受け台取付ベース４３の駆動力の方が大きくなるように設定されている。
【０１４２】
これにより、ドア４が開いた後、エアーシリンダ１７の動作で受け台取付ベース４３を矢印ｂ方向に移動させ続けると、ドア４が開放したことで移動が規制されたキャッチャー受け取付ブロック２６からキャッチャー本体取付ブロック２５が離れ、受け台取付ベース４３は受け台６とともに矢印ｂ方向にさらに移動する。
【０１４３】
ドア４が開放した状態で受け台取付ベース４３が矢印ｂ方向に移動して行くと、図１０（ａ）に示すように、受け台取付ベース４３とともに矢印ｂ方向に移動する回転プレート４４に設けた回転用ピン４７が、ドア４に設けた回転用ブロック５０Ｂに突き当たる。
【０１４４】
受け台取付ベース４３が矢印ｂ方向に移動を続けると、回転用ピン４７の移動が回転用ブロック５０Ｂによって規制されることで、図１０（ｂ）に示すように、受け台６が取り付けられている回転プレート４４が回転シャフト４５を軸に矢印ｄ方向に回転する。
【０１４５】
さて、受け台６が第１の向きにあるとき、回転プレート４４側の支持点４９ｂと、受け台取付ベース４３側の支持点４９ａの位置関係から、引張りコイルバネ４９は回転プレート４４に対して第１の向きを保持する方向に力を加えている。
【０１４６】
これにより、受け台６を第１の向きとしている回転プレート４４が回転シャフト４５を軸に矢印ｄ方向に回転を開始すると、途中までは引張りコイルバネ４９に抗して回転することになる。
【０１４７】
そして、受け台取付ベース４３が矢印ｂ方向へ移動することで、回転プレート４４が矢印ｄ方向に回転して行くと、引張りコイルバネ４９の回転プレート４４側の支持点４９ｂの位置が、受け台取付ベース４３側の支持点４９ａと回転シャフト４５を結ぶ直線を超える。すると、引張りコイルバネ４９は、回転プレート４４を矢印ｄ方向に回転させる力を与える。これにより、回転プレート４４は、図１０（ｃ）に示すように、回転用ピン４７が回転用ブロック５０Ａに当接する位置まで一気に矢印ｃ方向に回転する。
【０１４８】
そして、受け台取付ベース４３の矢印ｂ方向への移動に伴い回転プレート４４が矢印ｄ方向に回転して行くことで、図１０（ｄ）に示すように、回転プレート４４の回転ストッパ４８が、受け台取付ベース４３に形成した第２のストッパ面４３ｂに当接する。
【０１４９】
これにより、引張りコイルバネ４９による回転プレート４４の矢印ｄ方向への回転は規制され、回転プレート４４に取り付けられている受け台６は、保持している携帯電話５を横向きとする第２の向きとなる。
【０１５０】
そして、図１１に示すように、受け台６が第１の位置に到達すると、エアーシリンダ１７による受け台取付ベース４３の移動を停止する。受け台６が第１の位置に到着したとき、受け台６は第２の向きとなっており、この受け台６に保持されている携帯電話５は横向きとなって全体が出し入れ口３から筐体２の外部に露出し、受け台６から携帯電話５を取り外すことが可能となる。また、受け台６への携帯電話５の装着が可能となる。
【０１５１】
以上説明したように、第２の実施の形態のシールドボックス４１は、１組のエアーシリンダ１７で携帯電話５の筐体２に対する出し入れ、携帯電話５を保持する受け台６の回転動作、Ｉ／Ｆプラグの挿抜、そしてドア４の開閉を行うので、筐体２内において駆動機構を組み込むためのスペースを小さくすることができ、シールドボックス４１の小型化が図れる。
【０１５２】
また、携帯電話５の出し入れは、直方体形状の筐体２の長手方向の一方の端部に出し入れ口３を設けて行うので、出し入れ口３に設けるドア４の面積が小さくて済み、また、ドア４の開閉に要するスペースを小さくできる。さらに、携帯電話５を横向きとなるように回転させて排出することで、携帯電話５を着脱する際の、筐体２からの携帯電話５の突出量を少なく出来る。よって、シールドボックス４１の占有スペースを小さくできる。
【０１５３】
図１２は本発明のシールドボックスと従来のシールドボックスのサイズを比較した説明図である。なお、図１２は第２の実施の形態のシールドボックス４１と図１３で説明した従来のシールドボックス１００のサイズを比較したものであり、参考として一辺が１００ｍｍの立方体を併記する。
【０１５４】
第２の実施の形態のシールドボックス４１は、受け台６を移動させて携帯電話の出し入れを行い、直方体形状の筐体２の長手方向の端部に出し入れ口３を設け、受け台６を移動させてこの出し入れ口３から携帯電話の出し入れを行い、かつ、複数の動作を１つの駆動源で行うことから、従来のシールドボックス１００に対して小型となる。また、シールドボックス４１ではドア４の開閉に要するスペースも小さくて済むので、占有スペースも小型になっている。これにより、限られた設置スペースに対して、従来より多数のシールドボックス４１を設置できる。したがって、一度に試験できる携帯電話５の数を増やすことができる。
【０１５５】
また、シールドボックス４１は、筐体２の端面に出し入れ口３を設けたことで、筐体２のトップパネル１４は携帯電話５の出し入れのために開閉する必要はない。また、ドア４はバネ蝶番１６によって回転動作で開閉するので、筐体２の上側にドア４が開閉するためのスペースは必要としない。よって、シールドボックス４１を重ねても使用可能である。これにより、一度に試験できる携帯電話５の数をより増やすことができる。
【０１５６】
なお、以上の効果は第１の実施の形態のシールドボックス１でも得られる。第１の実施の形態のシールドボックス１は、回転機構が不要な分、構成が簡単で部品点数が少なくて済むので、コストを下げることができる。これに対して、第２の実施の形態のシールドボックス４１は、回転機構を設けて携帯電話５を横向きとして排出することで携帯電話５の突出量を少なく出来るので、占有スペースをより小さくできる。
【０１５７】
次に、第１および第２のシールドボックスの遮蔽性能について説明する。なお、以下の説明は第２の実施の形態のシールドボックス４１を例に行う。シールドボックス４１を用いた各種試験の中で、出力される最も大きい信号が送信パワーの＋２６．４ｄＢｍ、測定する最も小さな信号が送信スプリアスの−２７．６ｄＢｍ（−５４ｄＢｃ）付近のレベルである。
【０１５８】
さて、１台のシールドボックス４１には１台の携帯電話５が収納され、複数のシールドボックス４１が並べて使用される。これにより、携帯電話５の製造工程においては、信号を送出している携帯電話５と微弱信号を測定する携帯電話５は別のシールドボックス４１に収納して試験を行うので、隣接するシールドボックス４１間の遮蔽能力は２倍となる。よって、シールドボックス４１単独で−４０ｄＢ程度の遮蔽性能があれば良いことになる。
【０１５９】
なお、上述した各実施の形態では、試験対象は携帯電話５としたが、携帯電話５の製造工程で、基板状態での試験を行うこともできる。基板の段階で試験を行う場合は、受け台６として基板の保持が行える構成を有するものを装着すればよい。このように、受け台６を交換するだけで、パッケージとして完成している携帯電話５の試験と、基板の段階での試験が行える。
【０１６０】
【発明の効果】
以上説明したように、本発明は、無線機器を収納する直方体形状の筐体と無線機器に設けられる被接続端子と接続する接続端子とを備えた無線機器試験用のシールドボックスにおいて、無線機器を保持する受け台と、筐体の外で無線機器の着脱が行われる第１の位置から、保持している無線機器の被接続端子が接続端子と接続される第２の位置まで、受け台を接続端子同士の挿抜方向に沿って移動させる駆動機構と、被接続端子を接続端子から抜き取る方向への受け台の移動方向に対向して筐体の長手方向の一方の端部に設けた出し入れ口と、出し入れ口に設けられ、受け台の移動と連動して開閉するドアとを備えたものである。
【０１６１】
したがって、被接続端子を挿抜するための無線機器の移動とこの無線機器の筐体に対する出し入れを１組の駆動機構で行えるので、シールドボックスの小型化を図ることができる。
【０１６２】
また、直方体形状の筐体の長手方向の端部に出し入れ口を設けるので、出し入れ口の開口を小さくすることができ、ドアが開く際に必要なスペースを小さくすることができるので、占有スペースを小さくすることができる。
【０１６３】
さらに、本発明は、受け台が第２の位置と第１の位置との間を移動する過程で、保持している無線機器の被接続端子が接続端子と対向する第１の向きから、受け台の移動方向に対して横を向く第２の向きまで、受け台を鉛直軸を支点に回転させる回転機構を備えたものである。
【０１６４】
これにより、筐体内に取り込んでいる無線機器を外部へ排出する際に、受け台を回転させて無線機器を横向きにすることで、筐体から露出する無線機器の長さを短くでき、占有スペースのさらなる小型化を図ることができる。
【０１６５】
そして、被接続端子を挿抜するための無線機器の移動と、この無線機器の筐体に対する出し入れと、この無線機器を出し入れする際の回転動作を１組の駆動機構で行えるので、シールドボックスの小型化を図ることができる。
【図面の簡単な説明】
【図１】第１の実施の形態のシールドボックスの一部分解斜視図である。
【図２】第１の実施の形態のシールドボックスの全体分解斜視図である。
【図３】開閉機構の詳細を示す要部斜視図である。
【図４】携帯電話の取り込みおよび排出工程を示すシールドボックスの側断面図である。
【図５】携帯電話の取り込みおよび排出工程を示すシールドボックスの側断面図である。
【図６】第２の実施の形態のシールドボックスの一部分解斜視図である。
【図７】第２の実施の形態のシールドボックスの全体分解斜視図である。
【図８】回転機構の詳細を示す要部平面図である。
【図９】受け台の回転動作を示すシールドボックスの要部平面図である。
【図１０】受け台の回転動作を示すシールドボックスの要部平面図である。
【図１１】受け台が第１の位置にあるときのシールドボックスの内部構成を示す側断面図である。
【図１２】本発明のシールドボックスと従来のシールドボックスのサイズを比較した説明図である。
【図１３】従来のシールドボックスの一部破断斜視図である。
【符号の説明】
１・・・シールドボックス、２・・・筐体、３・・・出し入れ口、４・・・ドア、５・・・携帯電話、５ａ・・・Ｉ／Ｆプラグ、６・・・受け台、７・・・駆動機構、８・・・開閉機構、９・・・Ｉ／Ｆプラグ、１０・・・ベースパネル、１１ａ，１１ｂ・・・サイドパネル、１２・・・フロントパネル、１３・・・リアパネル、１４・・・トップパネル、１６・・・バネ蝶番、１７・・・エアーシリンダ、１７ｂ・・・可動部、１８・・・リニアガイド、１９・・・受け台取付ベース、２０・・・ローラ受け、２１・・・ローラ、２２・・・プラグ取り付け板、２３・・・Ｉ／Ｆプラグホルダー、２４・・・Ｉ／Ｆプラグ押さえ、２５・・・キャッチャー本体取付ブロック、２６・・・キャッチャー受け取付ブロック、２７Ａ，２７Ｂ・・・リンク、２８・・・リンクガイドベース、２８ａ・・・溝、２９・・・リンク押え、３０・・・ピン、３１・・・リンク取付ブロック、３２・・・ピン、４１・・・シールドボックス、４２・・・回転機構、４３・・・受け台取付ベース、４３ａ・・・第１のストッパ面、４３ｂ・・・第２のストッパ面、４４・・・回転プレート、４５・・・回転シャフト、４６・・・ベアリング、４７・・・回転用ピン、４８・・・回転プレートストッパーピン、４９・・・引っ張りコイルバネ、５０Ａ・・・回転用ブロック、５０Ｂ・・・回転用ブロック
【図１】
2004072190.tif 000003
【図２】
2004072190.tif 000004
【図３】
2004072190.tif 000005
【図４】
2004072190.tif 000006
【図５】
2004072190.tif 000007
【図６】
2004072190.tif 000008
【図７】
2004072190.tif 000009
【図８】
2004072190.tif 000010
【図９】
2004072190.tif 000011
【図１０】
2004072190.tif 000012
【図１１】
2004072190.tif 000013
【図１２】
2004072190.tif 000014
【図１３】
2004072190.tif 000015